(57)【要約】  本発明は、ポリビニルアルコール樹脂の不織布によって形成される水分解性可撓買物袋に関する。袋は、それが容易に分解可能であることを特徴とし、環境にとってより良い。加えて、袋は、異なるデザインまたは型を有することができる。本発明は、同じ成形材料である、ポリビニルアルコールから作られたサージカルシートにも関する。
2019529256.tif 000002
【特許請求の範囲】
【請求項１】
小売店もしくは卸売店から購入された商品を持ち運ぶおよび／または消費者向け商品もしくは衛生製品を包装するための水分解性可撓袋であって、
それらの側縁の各々上の少なくとも一つの封止帯によってそれらの上部部分において接着された少なくとも二つの平行壁と、平行壁の下部端同士を接着する封止帯と、封止帯の反対側の上部端上の開口と、を含み、
側壁の各々が不織ポリビニルアルコール樹脂布からなることを特徴とする、水分解性可撓袋。
【請求項２】
メッセージ、広告または情報を組み入れるための粗い領域を含むことを特徴とする、請求項１記載の水分解性可撓袋。
【請求項３】
粗い領域が不織布のエンボス加工に該当することを特徴とする、請求項２記載の水分解性可撓袋。
【請求項４】
粗い領域が不織布のスタンピングに該当することを特徴とする、請求項２記載の水分解性可撓袋。
【請求項５】
粗い領域が袋の外側面の一つの上にあることを特徴とする、請求項２記載の水分解性可撓袋。
【請求項６】
粗い領域が袋の両方の外側面上にあることを特徴とする、請求項２記載の水分解性可撓袋。
【請求項７】
側部、下部、上部または中間封止帯の各々が１〜２０ミリメートルの間で可変である幅を有することを特徴とする、請求項１に基づく水分解性可撓袋。
【請求項８】
粗い領域が袋の端の封止帯を覆うことを特徴とする、請求項１記載の水分解性可撓袋。
【請求項９】
粗い領域が袋の側縁の封止帯の少なくとも一つを覆うことを特徴とする、請求項１記載の水分解性可撓袋。
【請求項１０】
粗い領域が袋の高さの四分の一を覆うことを特徴とする、請求項５〜６記載の水分解性可撓袋。
【請求項１１】
粗い領域が袋の高さの半分を覆うことを特徴とする、請求項５〜６記載の水分解性可撓袋。
【請求項１２】
粗い領域が袋の高さ全体を覆うことを特徴とする、請求項５〜６記載の水分解性可撓袋。
【請求項１３】
袋が握り持ち手を形成する中央開口を平行壁の各々の上部領域に含むことを特徴とする、請求項１〜１２記載の水分解性可撓袋。
【請求項１４】
平行壁各々の中央開口の上部領域を通して袋の全幅に沿った封止帯を包むことを特徴とする、請求項１３記載の水分解性可撓袋。
【請求項１５】
平行壁各々の中央開口の下部領域を通して袋の全幅に沿った封止帯を包むことを特徴とする、請求項１３記載の水分解性可撓袋。
【請求項１６】
平行壁各々の中央開口の上部および下部領域を通して袋の全幅に沿った封止帯を包むことを特徴とする、請求項１３記載の水分解性可撓袋。
【請求項１７】
袋が握り持ち手を形成するひも状帯をその上部領域に含むことを特徴とする、請求項１〜１２記載の水分解性可撓袋。
【請求項１８】
平行壁の各々の上部端を通して袋の全幅に沿った封止帯を包むことを特徴とする、請求項１７記載の水分解性可撓袋。
【請求項１９】
袋がその全幅に沿った封止帯を平行壁の各々の中間領域に包むことを特徴とする、請求項１７に基づく水分解性可撓袋。
【請求項２０】
袋が平行壁の各々の上部領域を通して握り持ち手を形成する一対の連続する延長帯を含むことを特徴とする、請求項１〜１２記載の水分解性可撓袋。
【請求項２１】
握り持ち手を形成する連続する延長帯の各々の上部端領域の全幅に沿った封止帯を包むことを特徴とする、請求項２０記載の水分解性可撓袋。
【請求項２２】
必要に応じてガセットとしての役割を果たす伸縮可能な折り目を両方の平行壁の間に包むことを特徴とする、請求項１〜２１記載の水分解性可撓袋。
【請求項２３】
伸縮可能な折り目が垂直にまたは水平に配置されることを特徴とする、請求項２２記載の水分解性可撓袋。
【請求項２４】
エンボス加工、スタンピングおよび／または印刷された装飾的な図形またはシンボルを包むことを特徴とする、請求項１〜２３記載の水分解性可撓袋。
【請求項２５】
装飾的な図形またはシンボルがフレキソ印刷を使用して印刷されることを特徴とする、請求項２４記載の水分解性可撓袋。
【請求項２６】
超音波技術を使用して形成される封止帯の少なくとも一つの上に装飾的な図形またはシンボルを包むことを特徴とする、請求項１〜２３記載の水分解性可撓袋。
【請求項２７】
白または白とは異なる色であることが可能であることを特徴とする、請求項１〜２６記載の水分解性可撓袋。
【請求項２８】
不織ポリビニルアルコール樹脂布によって形成される覆い布からなることを特徴とする、患者ケア用ストレッチャーを覆うための水分解性可撓ストレッチャーカバー。
【請求項２９】
巻かれた連続するシートとして提示され、使用が予定される際、ストレッチャー上に展開されることが可能であることを特徴とする、請求項２８記載の水分解性可撓ストレッチャーカバー。
【請求項３０】
シートが規定の長手のセグメントにおいて幅方向にミシン目を付けられることを特徴とする、請求項２９記載の水分解性可撓ストレッチャーカバー。
【請求項３１】
シートが１メートル（３．３フィート）ごとにミシン目を付けられることを特徴とする、請求項３０記載の水分解性可撓ストレッチャーカバー。
【請求項３２】
シートが２メートル（６．６フィート）ごとにミシン目を付けられることを特徴とする、請求項３０記載の水分解性可撓ストレッチャーカバー。
【請求項３３】
シートが約５０センチメートル（２０インチ）〜約７５センチメートル（３０インチ）の間で可変である幅を有することを特徴とする、請求項２９記載の水分解性可撓ストレッチャーカバー。
【発明の詳細な説明】
【技術分野】
【０００１】
本発明は、それらの側縁によってそれらの上部部分において接着された少なくとも二つの平行壁と、平行壁の下部端同士を接着する封止帯と、封止帯の反対側の端の開口とで構成される、小売店もしくは卸売店から購入された商品を持ち運ぶためのおよび／または消費者向け商品もしくは衛生製品を包装するための水分解性可撓袋に関し、袋が不織ポリビニルアルコール樹脂布からなる。異なる態様では、本発明は、患者ケア用ストレッチャーを覆うための水分解性可撓ストレッチャーカバーにも関し、前記ストレッチャーカバーが不織ポリビニルアルコール樹脂布からなる。
【０００２】
先行技術の説明
商品を持ち運ぶためのプラスチック袋の日々の使用は、前記袋がその件についての規制のない国で依然として広く使用され、決して分解しないまたは分解するのに数百年もかかるゴミの膨大な蓄積を結果的にもたらしているため、重大な環境問題になっており、プラスチック袋が人間居住によって生み出される日常的な家庭ゴミの一部として海、湖、河川に投棄される際に、野生生物、とりわけ海の野生生物に対して引き起こされる被害も公知である。
【０００３】
商業的に使用されるプラスチック袋は、それらが非常に低価格で販売された商品を持ち運ぶためのコスト効率の良いソリューションであることを商人が見いだすと需要が高まった。現在作り出されている一部の袋は薄すぎてすぐに破れてしまうため、プラスチック袋の品質が低くて二度使用されることができないとき、問題は、増加する。
【０００４】
考慮に入れるべきもう一つの重要な要素は、プラスチック袋のリサイクル性であり、一部の業界では前記袋によって引き起こされる汚染問題に対するソリューションとして挙げられているが、しかし、実際には、リサイクリングは、リサイクリングプラスチック袋（高または低密度ポリエチレン）のコストが新たな袋の製作に使用される原材料のコストよりも高いため、効果的なソリューションではなく、それ故に、従来型のプラスチック業界にとっては、袋のリサイクリングを開始する技術的または経済的なモチベーションがない。
【０００５】
購入した商品を持ち運ぶまたは大量消費製品を包装するための手段を供給することへの要望は明白であるが、プラスチック袋の使用は、頻度が高く広く普及しているため、それらが環境への脅威とならないことも要望されており、それ故に、究極的にはプラスチック袋は依然として廃棄されてゴミになってしまうため、それらの再利用のためにより良い品質を推進するのではなく、プラスチック袋の効果的な分解を狙った先行技術においてソリューションが探求されてきた。
【０００６】
それ故に、使用済みプラスチックのライフサイクルを減少させることを狙い、それらの分解時間が数百年から今や百年のみに減少されることを結果的にもたらすソリューションを見いだすことは可能である。しかし、環境の観点からすると、プラスチック分解に必要な年数が減少されることが進歩である一方で、数年というのは依然として非常に長い時間であり、その間に袋は依然としてとりわけプラスチックの破片を飲み込む可能性が高い海の野生生物の種への被害を引き起こし、それらの死を結果的にもたらし得る。
【０００７】
他の進歩は、物、例えば袋の製造において使用されることができる新たな加速分解材料の開発において成されてきたが、しかし、それらは、それらの強度の欠如またはそれらの高コストに起因して無効であることが証明されており、それらが従来型のプラスチック、例えばポリスチレン、ポリエチレン、ポリプロピレンおよび他の高分子材料で作られた袋と競争することを阻んでいる。
【０００８】
したがって、単純な生産テクノロジーを要求する一方で、それが廃棄される必要があるとき材料の全分解を可能にし、その分解に起因して環境への被害も引き起こさない、高引張強度を持つ十分な厚さを可能にする材料を達成することが課題である。
【０００９】
この理由から、生分解性包装袋を開発するために努力が成されたが、しかし、分解可能な製品は、常に、いずれにしても、それらの低抵抗に起因して、構造的に不完全である。石油系ポリオレフィンで作られたプラスチック材料は、ポリ乳酸も使用されてきたように、分解可能なプラスチックの調製のためのキャリアとして使用されてきたが、しかし、変換後に結果として生じる材料の低い熱抵抗は、ポリ乳酸の比較的高いコストと共に、買物袋の要件に好適であることを成さない。
【００１０】
例として、２０１４年５月２８日に公開されたHuang Shengによる中国特許第１０３８１９８０３号は、天然材料、例えばデンプンと、ステアリン酸、ステアリン酸カルシウム、炭酸カルシウム、流動パラフィン、高および低密度ポリエチレン、エチルメチルアクリラート共重合体プラス他のカップリング剤との組み合わせから得られる生分解性高分子材料の使用を記載する「Preparation method for degradable plastic for shopping bags」を開示するが、しかし、結果は、コストが高すぎて依然として環境に配慮していない汚染材料を使用するため、依然として理想的ではない。
【００１１】
もう一つの類似の例は、環境を汚染しないであろう分解可能なプラスチック袋に言及する、２０１３年１月１６日に公開されたLi Yinによる中国特許第１０２８７５９１４号に見いだすことができる。分解可能なプラスチック袋の技術的ソリューションは、それが原材料としてデンプンおよびポリ塩化ビニルを使用して形成されることにある。しかし、このソリューションは、その強度と、室温で有意な介入なしでのその実際の分解性との間の良好なバランスを達成しない。
【００１２】
他方では、診察室または処置室において患者またはユーザーが横たわることができるストレッチャーは、非常に一般的であり、通常、前記ストレッチャーは、使い捨ての紙のシートまたは「ストレッチャーカバー」で覆われ、一度使用されるとストレッチャーの傍らにあるゴミ箱（くず入れ）に捨てられる。前記ストレッチャーカバーが各患者の後で除去されなければならないため、大量の紙が蓄積され、その後の取り扱いや最終処分の妨げになり得る。
【００１３】
そのような理由から、本発明は、技術の問題を克服して、室温の水または温水で容易に分解され、不織ポリビニルアルコール樹脂布によって形成される、小売または卸売の買物のための袋を提案する。また、本発明は、技術のもう一つの問題を克服して、室温の水または温水で容易に分解され、不織ポリビニルアルコール樹脂布によって形成される、患者ケアのために使用されるストレッチャーを覆うための使い捨てのストレッチャーカバーを提案する。
【００１４】
本発明は、小売店もしくは卸売店から購入された商品を持ち運ぶためのおよび／または消費者向け商品もしくは衛生製品を包装するためのプラスチック袋に言及し、前記袋が本体とひもとの間を単一の部片で作られることができ、例えば、１９９９年１０月１９日に公開されたChewによる米国特許第５９６７６６２号に記載されたもの、または一つの本体プラス追加されたひもで作られることができ、例えば１９７０年１月２０日に公開されたSchwarzkopfによる米国特許第３４９０６８２号に示されるもの、本出願の目的である本発明のコンセプトの下でその他の形態の袋またはパッケージングも適用可能である。
【００１５】
発明の説明
本発明をより良く理解するために、以下の定義を提供する：
水分解性：冷水または温水で完全に分解する能力を持つ材料。
封止帯：天然または合成繊維を使用する熱的接着、超音波接着、粘着接着またはシーム接着によって材料の二つのシートを接着する部分。各帯は、１〜２０ミリメートルの間で可変である幅を有することができる。
ストレッチャーカバー：患者またはユーザーがその上に横たわるストレッチャーを覆うために使用される、規定の長さおよび幅を持つ使い捨てのシート。
【００１６】
第一の態様では、本発明は、室温の水または温水で水分解性である、小売店もしくは卸売店から購入された商品を持ち運ぶおよび／または消費者向け商品もしくは衛生製品を包装するための袋に言及する。
【００１７】
袋は、溶融紡糸布、例えば、不織布に基づいて製造され、より具体的には、袋は、室温の水または温水に溶けることができるポリビニルアルコール樹脂を含む、不織メルトブローン布で作られる。
【００１８】
ポリビニルアルコールは、従来、酢酸ビニルの重合およびそれに続くポリマーのアルコールへの加水分解によって作られる。ポリビニルアルコールは、それらの重合度および加水分解度において変動する。ポリビニルアルコールが溶ける温度は、ポリマーの配向を変更すること、加水分解度を変化させることおよびその結晶化によって変動させることができる。
【００１９】
不織メルトブローン布は、メルトブローン紡糸またはメルトブローンスパンボンドと総称される、不織粘着接着されたスパンボンド布として同様に得られる。プロセスでは、溶融されたポリマーは、スパンボンディングノズルの穴を通して圧力下で押し出され、次に、メルトブローンプロセス中にそれらがマトリクスから出るにつれ、フィラメントを引っ張る高速空気によって詰め込まれる。この段階のエネルギーは、形成されたフィラメントの直径が有意に減少されるほどであり、フィラメント破砕は、無限の長さの超極細繊維を結果的にもたらす。これは、フィラメントの連続性を維持するスパンボンディングプロセスとは異なる。一つの層または複数の層のいずれかの布を形成するためのプロセスは、連続し、換言すれば、プロセスの工程は、接着された帯が一巻きに巻かれるまで、第一の層を形成するために、フィラメントの紡糸によって中断されない。
【００２０】
この不織布は、数層からなる構造物内の層であることもでき、それが組成されたまたは積層された材料で作られた布が一般的に熱および圧力を伴う方法、例えば、熱的ポイント接着を通して、次に少なくとも一時的に固められることの理由であり、本出願の目的である水分解性袋は、その側縁の各々上の少なくとも一つの封止帯によってそれらの上部部分において接着された少なくとも二つの平行壁と、平行壁の下部端同士を接着する封止帯と、封止帯の反対側の上部端にある開口とによって構成され、平行壁の各々が不織ポリビニルアルコール樹脂布からなる。
【００２１】
本発明の範囲内で、水溶性メルトブローン布（不織布）は、エンボス加工または印刷プロセスで処理されて、粗いタイプの異なる質感または外観を布表面上に発生させて、自然界で非溶性または非分解性である汚染顔料または材料を適用する必要なく、情報、例えば広告、指示、装飾などのための区域の組み入れを可能にすることができる。
【００２２】
この粗い区域は、袋の異なる領域、例えば袋の一つのもしくは両方の外側面、袋に合致する平行壁を接着する封止帯のみ、袋壁の四分の一のみ、袋壁の半分または表面全体を覆うことができる。
【００２３】
水分解性袋は、握り持ち手として機能する中央開口をその上部領域に含み、異なる選択肢としては、それは、握り持ち手として機能する開口を形成するひも状帯を上部領域に、または平行壁の上部領域に沿った、握り持ち手を形成する一対の連続する延長帯を有する。袋のためのもう一つの選択肢としては、それは、持ち手ではなく、シールをその縁の周囲に有する。袋は、消費者向け商品もしくは衛生製品のためのパッケージング、例えば運送車両のシートヘッドレスト用カバーを作ることもできる。
【００２４】
プラスチック袋を作り出すためのプロセスは、先行技術において広く公知であり、先行技術において公知の様々な生産プロセスは、本発明において袋の生産のために容易に適用可能である。プラスチック袋のための生産プロセスの具体的な事例は、米国特許第４３６２５２６号（James R. Wilson）、米国特許第５９６７６６２号（Yook-Meng Chew）および米国特許第２００２００３６１４８号（Richard A. Honstrater）の発明特許に見いだすことができる。上記文書に記載されたプロセスは、本発明の目的であるプラスチック袋の生産に完全に適用可能である。袋上への、広告または情報を組み入れるための粗い領域の形成および前記情報が組み入れられる封止帯の形成も、袋が作り出される機械に取り付けられる適切なエンボス加工装置を使用して作り出されるホットまたはコールドのいずれかのエンボス加工技術を通して達成される。
【００２５】
上記にかかわらず、広告または情報は、袋の封止帯上にのみ組み入れられることもでき、この事例では、各封止帯は、それを通して適切な記号またはシンボルも封止帯上に形成される超音波接着技術を使用して作り出され、エンドユーザーを狙った情報または広告を結果的にもたらす。
【００２６】
本明細書に開示される袋の第二の態様では、前記袋は、水性フレキソ印刷を使用したシート自体上または封止帯上のいずれかへの広告または情報の直接的な挿入物を包含することができ、袋が水に溶ける際、汚染塗料の残渣が希釈水に残らないようにする。
【００２７】
本明細書に開示される袋の第三の態様では、それがユーザーにとって魅力的である広範な訴えかける色で提示されるように、前記袋は、基本的な色（白）以外の異なる色であることができる。前記着色は、水に溶けることができ、いかなる汚染残渣も溶解液に残さない適切な着色剤を基本的な配合に組み入れることで達成される。したがって、袋は、異なる色、例えば、複数の色調の緑、黄、明るい青および赤であることができる。
【００２８】
最後に、本発明の第四の態様は、患者または他のユーザーのための医療ケアの提供に使用されるストレッチャーを覆うために使用されることができ、これも不織ポリビニルアルコール樹脂布からなる水分解性可撓ストレッチャーカバーに言及する。
【図面の簡単な説明】
【００２９】
本発明特許の好ましい態様の詳細な説明は、本開示の一部である図と共に提示される。図が発明のより良い理解のための補助要素としてのみ提示され、それらが実寸または一定の比で、可撓材料袋もそれを形成する要素も表していないことを指摘することが重要である。本発明は、図に示されるもののみに限定されるものでもなく、それらが本発明の重要な要素のみを表し、先行技術において一般的に公知である要素が包含されていない場合がある。したがって、図は、以下の通りである。
【図１】持ち手タイプ開口を有する態様に基づく、水分解性袋の等角図を示す。
【図２】その外側面の一つの上に粗い領域を有する態様に基づく、水分解性袋の正面図を示す。
【図３】側部封止帯と、下部端の封止帯と、中央開口の上下の封止帯とを包含する態様に基づく、図１の水分解性袋の正面図を示す。
【図４】伸縮可能な折り目を両方の平行壁の間に包含する態様に基づく、図３の水分解性袋の正面図を示す。
【図５】持ち手様の追加された部片を有する態様に基づく、水分解性袋の正面図を示す。
【図６】側部封止帯と、下部端の封止帯と、中間封止帯とを包含する態様に基づく、図５の水分解性袋の正面図を示す。
【図７】伸縮可能な折り目を両方の平行壁の間に包含する態様に基づく、図６の水分解性袋の正面図を示す。
【図８】追加された部片からではなく、側壁自体から生じる持ち手を包含する態様に基づく、図６の水分解性袋の正面図を示す。
【図９】側壁の上部領域に沿った一対の連続する延長帯を包含する態様に基づく、水分解性袋の正面図を示す。
【図１０】パッケージングを形成する態様に基づく、水分解性袋の正面図を示す。
【図１１】握り持ち手を包含しない態様に基づく、水分解性袋の等角図を示す。
【図１２】図１１に示される水分解性袋の正面図を示す。
【図１３】巻かれて、それが保持された一巻きからその端が展開された、水分解性可撓ストレッチャーカバーの等角図を示す。
【発明を実施するための形態】
【００３０】
水分解性袋の構成要素の番号は、異なる図に図示される袋のタイプが何であれ、変わらないままである。
【００３１】
本発明は、小売店もしくは卸売店から購入された商品を持ち運ぶためのおよび／または消費者向け商品もしくは衛生製品を包装するための水分解性可撓袋（１）に関連し、前記袋が図１に示されるように、その側へりの各々上の少なくとも一つの封止帯（３）によってそれらの上部領域において接着された少なくとも二つの平行壁（２）と、平行壁の下部端同士を接着する封止帯（４）と、下部封止帯（４）の反対側の上部端上にある開口（５）とからなり、平行壁（２）の各々が不織ポリビニルアルコール樹脂布からなり、握り持ち手（１１）として機能する中央開口（１０）をその上部領域に含む。
【００３２】
図２で見てとれるように、袋（１）は、広告または情報を組み入れるための粗い領域（６）を有し、前記粗い領域（６）が袋の外側面の一つの上に配置された布上のエンボス加工またはスタンピングに該当し、袋（１）の高さの半分を覆うが、前記粗い領域は、袋の高さ全体または前記高さの三分の一もしくは四分の一を覆うことができる。
【００３３】
図３に見てとれるものに基づいて、袋（１）は、平行壁各々の中央開口の上部領域を通して袋の全幅に沿った封止帯（２１）を含み、それは、平行壁各々の中央開口の下部領域を通して袋の全幅に沿った中間封止帯（２２）を包含することもでき、またはそれは、平行壁各々の中央開口の上部および下部領域を通して袋の幅全体に沿った封止帯を包含することもできる。
【００３４】
図４に図示されるものに基づいて、袋（１）は、必要に応じてガセットとしての役割を果たす伸縮可能な折り目（２５）を両方の平行壁の間に包含する。
【００３５】
図５は、握り持ち手（１１）として機能する開口を形成するひも状帯（８）をその上部領域に含む水分解性袋（１）を示す。
【００３６】
図６は、側部封止帯（３）と、下部端封止帯（４）と、上部封止帯（２１）と、中間封止帯（２２）とが包含される、図５に基づく水分解性袋（１）の正面図を示す。
【００３７】
図７は、必要に応じてガセットとしての役割を果たす伸縮可能な折り目（２５）を両方の平行壁の間に包含する、図６の水分解性袋（１）の正面図を示す。
【００３８】
図８は、ひも状帯（８）の代わりに、側壁から生じる持ち手（１１）を包含する、図６に基づく水分解性袋（１）の正面図を示す。
【００３９】
図９は、平行壁の上部領域を通して握り持ち手を形成する一対の連続する延長帯（９）を包含する水分解性袋（１）、「Ｔシャツ袋」として通例公知の形式の正面図を示す。このタイプの袋は、ガセットとしての役割を果たす二つの伸縮可能な折り目（２５）を組み入れる。
【００４０】
図１０は、消費者向け商品もしくは衛生製品を包むために適応されることができるパッケージング、例えば、運送車両のシートヘッドレスト用カバーを形成する水分解性袋（１）の正面図を示す。この態様では、袋は、二つの側部封止帯（３）を包含し、製品を取り入れるための開口（２６）が実際のパッケージングの一部分上に重なる。
【００４１】
図１１は、握り持ち手を包含しないが、袋の縁全周囲にわたって封止帯を包含する、本発明の最も基本的な態様の水分解性袋（１）のタイプの等角図を示す。
【００４２】
図１２は、側部封止帯（３）と、下部封止帯（４）と、上部封止帯（２１）とを包含する、図１１に示される水分解性袋（１）の正面図を示す。
【００４３】
水分解性袋（１）が上部封止帯（２１）または中間封止帯（２２）を有する際、実際のシールが各側壁上にのみあり、二つの側壁の接着を引き起こさないことを指摘することは重要である。
【００４４】
本発明の水分解性可撓袋は、先に述べられたように、粗い領域上に見いだすことができるエンボス加工、スタンピングおよび／または印刷された装飾的な図形またはシンボルを包含し、前記粗い領域が封止帯に、または不織ポリビニルアルコール樹脂布によって形成される袋を形成する側壁の外側面の一つの一部もしくは全体に該当する。
【００４５】
図１３に図示される水分解性可撓ストレッチャーカバー（１００）態様は、患者ケアのために使用されるストレッチャーを覆うために使用されるように設定され、前記ストレッチャーカバー（１００）が不織ポリビニルアルコール樹脂布で作られた覆い布からなる。当初、換言すれば、使用されるまたはストレッチャー上に展開される前は、前記ストレッチャーカバーは、巻かれた連続するシート（１０１）として、換言すれば、一巻き（１０２）の形状で提示され、それが使用される予定である際、ストレッチャー上に広げられることができる。ストレッチャーからのより容易な除去のために、ストレッチャーカバー（１００）に合致するシート（１０１）は、幅方向にミシン目を付けられ（１０３）、長手のセグメントにおいて規定間隔に設けられる。したがって、ストレッチャーカバー（１００）の各シート（１０１）は、１もしくは２メートル（３．３および６．６フィート）ごとにまたは異なる規定の長さにミシン目を付けられることができる。しかし、ストレッチャーカバー（１００）は、ミシン目なしで一つの連続するシート（１０１）からなることができる。水分解性可撓ストレッチャーカバーを形成するシートは、約５０センチメートル（２０インチ）〜約７５センチメートル（３０インチ）の間で可変である幅を有することができる。
【００４６】
それが具体的に要求されるまたは必要な場合の事例のために、水分解性可撓ストレッチャーカバーは、二つ以上のシートからなることができ、前記シートは、積層された後、エンドユーザーである患者ケア施設にある一巻きを形成するように巻かれる。
【図１】
2019529256.tif 000003
【図２】
2019529256.tif 000004
【図３】
2019529256.tif 000005
【図４】
2019529256.tif 000006
【図５】
2019529256.tif 000007
【図６】
2019529256.tif 000008
【図７】
2019529256.tif 000009
【図８】
2019529256.tif 000010
【図９】
2019529256.tif 000011
【図１０】
2019529256.tif 000012
【図１１】
2019529256.tif 000013
【図１２】
2019529256.tif 000014
【図１３】
2019529256.tif 000015
【国際調査報告】
2019529256.tif 000016
2019529256.tif 000017
2019529256.tif 000018
2019529256.tif 000019
2019529256.tif 000020
2019529256.tif 000021